(57)【要約】本発明に依れば、シート、梁、ポーチコ、補強材もしくはブレーシング要素などの本質的に平坦な第1要素および第2要素(3、4、5)が縁部対縁部で組立てられ、第1要素および／または第2要素はその縁部にて、相補的形状の雌切欠(10)および／または雄切欠(12)に対して共面的な様式で係合する少なくとも一つの雄切欠(12)および／または雌切欠(10)を有する。切欠(10；12)はその縁部にて、構造材料(14)を受容し得る少なくとも一つの逃げ領域を備える。
2005534832.tif 000002
【特許請求の範囲】
【請求項１】
特にシート、梁、補強材、ポーチコ（portico）もしくはブレーシング（bracing）要素などの本質的に平坦な第1要素および第2要素(3、4、5)であって、前記第1要素および／または前記第2要素はその縁部にて、相補的形状の雌切欠(10)および／または雄切欠(12)に対して共面的な様式で係合する少なくとも一つの雄切欠(12)および／または雌切欠(10)を有する第1要素および第2要素(3、4、5)の縁部対縁部アセンブリにおいて、
前記切欠(10；12)はその縁部にて、前記縁部に形成された逃げ領域(13)を充填すべくデザインされた構造材料(14)を受容し得る少なくとも一つの逃げ領域(13)であって、前記第1要素および第2要素(4、5)間に材料ロッドを形成することで、各前記要素の平面内における平行移動および回転移動であって、前記アセンブリを分離する傾向のある平行移動および回転移動を防止し得る少なくとも一つの逃げ領域(13)を備えることを特徴とする、縁部対縁部アセンブリ。
【請求項２】
前記逃げ領域(13)は、前記切欠(10；12)の縁部に沿い延在する形態、好適には溝であることを特徴とする、請求項１または請求項２に記載のアセンブリ。
【請求項３】
前記切欠(10；12)は、繋止キー(15)を受容すべくデザインされた少なくとも一つのハウジング(15c)を備えることを特徴とする、請求項１に記載のアセンブリ。
【請求項４】
前記ハウジング(15c)は、部分的には、前記逃げ領域(13)に対して本質的に平行な第1部分(15a)として、且つ、部分的には、前記逃げ領域(13)に対して本質的に直角な第2部分(15b)として延在することを特徴とする、請求項３に記載のアセンブリ。
【請求項５】
ジグソーパズル型アセンブリの直線領域にハウジング(22)が配置されることを特徴とする、請求項３に記載のアセンブリ。
【請求項６】
前記逃げ領域(13)は、角張った箇所の無いラインの形態であることを特徴とする、請求項１から請求項４のいずれか一つの請求項に記載のアセンブリ。
【請求項７】
前記逃げ領域(13)は、前記第1要素および／または第2要素の厚み部分における雄輪郭および／または雌輪郭に追随することを特徴とする、先行請求項のいずれか一つの請求項に記載のアセンブリ。
【請求項８】
前記第1要素および／または前記第2要素は、ガラス要素であることを特徴とする、請求項１から請求項７のいずれか一つの請求項に記載のアセンブリ。
【請求項９】
前記第1要素および／または第2要素は、建築物の床部もしくは天井に接続される構造要素であることを特徴とする、請求項１から請求項７のいずれか一つの請求項に記載のアセンブリ。
【請求項１０】
中間記材料(13)は、選択的に、好適にはUV放射線をフィルタリングしまたはUV放射線に対して不透明であるシリコーン包被体などに収容され樹脂またはエラストマー材料もしくは接着剤に基づくことを特徴とする、先行請求項のいずれか一つの請求項に記載のアセンブリ。
【請求項１１】
中間材料(13)は、ボールチェーンもしくはローラチェーンであることを特徴とする、請求項１から請求項９のいずれか一つの請求項に記載のアセンブリ。
【請求項１２】
各前記ガラス要素は、強化されもしくは硬化されもしくは焼なましされた、モノリシックなガラスまたは積層ガラスから作成されることを特徴とする、先行請求項のいずれか一つの請求項に記載のアセンブリ。
【請求項１３】
請求項１から請求項１２のいずれか一つの請求項に記載された各要素のアセンブリの構築物に対する、各要素の平面内における平行移動および回転の自由度の禁止の適用。
【請求項１４】
各要素、特に請求項１から請求項１２のいずれか一つの請求項に記載の各ガラス要素のアセンブリを固定する、繋止キー(15)の使用。
【請求項１５】
各要素、特に請求項１から請求項１２のいずれか一つの請求項に記載の各ガラス要素のアセンブリを固定する、繋止キー(15)およびアセンブリ・システム(19)の使用。
【発明の詳細な説明】
【技術分野】
【０００１】
本発明はガラスに関し、より詳細には、ガラス、または、シート(sheet)、梁(beam)、ポーチコ(portico)、補強材(stiffener)、ブレーシング(bracing)、支柱(pillar)などの他の要素のアセンブリ（assembly）に関する。
【背景技術】
【０００２】
多数の異なる分野、特に建築物の分野においては、基材すなわちフロートガラス（float  glass）の利用可能な寸法の故にガラス要素の構築物は制限され、通例として、フロートガラス製造設備は最大寸法が約6メートルに制限されたガラスシート（glass  sheets）を提供する。
【０００３】
これらのガラス要素は、熱的プロセスまたは化学プロセスのいずれかにより強化され得る。
【０００４】
更に大寸のガラスの作成が意図されるとき、特に幾つかの個別要素が熱的または化学的に強化される場合には所望サイズのアセンブリを形成する為にこれらの要素から斯かるアセンブリを構築することが必須である。
【０００５】
各部材片を接続する一つの形態は、２つのガラス要素の間に中間摩擦材料を挟み置く、すなわち介設しながら、２つのガラス要素が２つの挟持プレート間に挟持される、という挟持(clamping)の原理に頼るものである。この方法は美観の欠点が在る、と言うのも、接続片はガラスの透明性における中断箇所をもたらすからである。
【０００６】
別の形態においては、孔が配備された各ガラス要素が、孔に挿入される接続片であってガラスの厚み方向に接続されるという接続片により組立てられる。このようなアセンブリの一例は特に欧州特許出願EP-0 887 484号明細書に開示されている。ガラス要素は、ガラス要素の各表面に接触する比較的に薄寸の部材片間に保持されているが、薄寸の部材片の機能はガラス要素を挟持することではなく、各孔の形成における位置の一切のエラーを補償すべく、ガラス要素の整列を許容することである。これによりガラス要素を通しての視認性は増大されるが、依然として光学的もしくは美観的な制約が在る。
【０００７】
更に別の形態において各ガラス要素は、ガラスの中心平面に平行に力を伝達する機械的接続を作成することで組立てられることから、ジグソーパズル（jigsaw）のピースと同様の様式で、ガラス要素の縁部を通して負荷が伝達される。
【０００８】
このジグソーパズル的な組立て方法は、特にアセンブリの品質および視覚的外観に関して技術的条件においては完全に満足できるが、ジグソーパズルを形成する各要素における製造許容誤差の故に、一定の場合には間隙が作り出され、特に負荷が加えられた状態でアセンブリが変動してアセンブリが分離する傾向があり得る。
【発明の開示】
【発明が解決しようとする課題】
【０００９】
これに鑑み、本発明の主題は、特にシート、梁、補強材、ポーチコもしくはブレーシング要素などの本質的に平坦な第1および第2要素であって、第1および／または第2要素はその縁部にて、相補的形状の雌切欠および／または雄切欠に対して共面的な様式で係合する少なくとも一つの雄切欠および／または雌切欠を有する第1および第2要素の縁部対縁部アセンブリ（edge-to-edge  assembly）において、切欠はその縁部にて、この縁部に形成された逃げ領域を充填すべくデザインされた構造材料を受容し得る少なくとも一つの逃げ領域であって、第1および第2要素間に材料ロッドを形成することで、各要素の平面内における平行移動および回転移動であってアセンブリを分離する傾向のある平行移動および回転移動を防止し得る少なくとも一つの逃げ領域を備えることを特徴とする、縁部対縁部アセンブリである。
【課題を解決するための手段】
【００１０】
本発明に依れば“本質的に平坦”という表現は、第1もしくは第2要素が、残りの単一もしくは複数の寸法におけるよりも相当に大きい少なくとも一つの寸法、好適には２つの寸法において延在することを表す。故に、第1もしくは第2要素は好適にはガラスもしくは他の材料のシートまたはパネルであるが、建築物の床部もしくは天井に接続される梁もしくは支柱もしくはポーチコもしくは構造要素であって、その単一もしくは複数の表面であって加工が為されなければ少なくとも一つの中心平面が画成され得るという単一もしくは複数の表面が加工され得るという梁もしくは支柱もしくはポーチコもしくは構造要素ともされ得る。縁部とは、要素の厚み部分を囲繞する周囲表面を表す。
【００１１】
“共面的な様式で”という表現は、中心平面内を延在するまたは中心平面に平行に延在する本質的に連続的な面を形成する如き様式で、雄切欠が雌切欠に係合することを意味する。
【００１２】
“相補的形状の”という表現は、２つの縁部間が完全に連続的な接触して結合される可能性を有して、または、各縁部の相当の部分にわたる点接触の可能性を有して、雄切欠が雌切欠に嵌合することを表す。
【００１３】
特に、本発明に係るアセンブリは、繋止キーを取り外した後で第1もしくは第2要素の平面から各切欠部分を移動して外すことによってのみ、第1もしくは第2要素間の接続が解除され得る如きである。
【００１４】
本発明に係るアセンブリは、アセンブリ機能を隠しながら新規で非常に魅力的な外観を生み出すだけでなく、非常に強い接続をもたらすことも可能とし、その場合、典型的にはガラスから成る各要素に過剰な応力はもたらされず且つジグソーパズル型アセンブリは偶発的に分離され得ない。
【００１５】
本発明の種々の好適実施例においては、所望であれば以下の項目の一つおよび／またはその他も採用され得る：
−逃げ領域は、切欠の縁部に沿い延在する好適には溝の形態であり、
−切欠は、繋止キーを受容すべくデザインされた少なくとも一つのハウジングを備え、
−ハウジングは、部分的には、逃げ領域に対して本質的に平行な第1部分として、且つ、部分的には、逃げ領域に対して本質的に直角な第2部分として延在し、
−逃げ領域は角張った箇所の無いラインの形態であり、
−逃げ領域は第1要素または第2要素の厚み部分における雄輪郭および／または雌輪郭に追随し、
−第1要素および／または第2要素はガラス要素であり、
−第1要素および／または第2要素は建築物の床部もしくは天井に接続される構造要素であり、
−中間材料は、選択的に、好適にはUV放射線をフィルタリングしまたはUV放射線に対して不透明であるシリコーン包被体などに収容される樹脂またはエラストマー材料もしくは接着剤に基づき、
−中間材料はボールチェーンもしくはローラチェーンであり、
−各ガラス要素は、強化され（焼き戻しされ）もしくは硬化されもしくは焼なましされた、モノリシックなガラスまたは積層ガラスから作成される。
【００１６】
本発明の更なる別の見地において、本発明は、上に述べたような各要素のアセンブリの構築物対する、第一要素および第二要素の平面内における平行移動および回転の自由度の禁止の適用にも関する。
【００１７】
本発明の他の詳細および特徴は、添付図面を参照する以下の詳細な説明に見られる。
【発明を実施するための最良の形態】
【００１８】
明確化のために、図示された対象物の種々の要素は必ずしも縮尺通りでないことを銘記されたい。
【００１９】
図１は特に、ガラスが装着された壁部1の外側面図であり、この壁部の後に、特にガラス要素3、4、5あるいは構造要素6もしくは7などの第1および第2要素から作成されたブレーシング2が在る。第1もしくは上側要素3は構造物の上側レベル6に固定され、且つ、第2もしくは下側要素5は構造物の下側レベル7に固定されて、天井レベルもしくは基底レベルまたは中間要素レベルにて建築物の構造に接続された第1もしくは第2要素に対して固定される。外側壁部1に対するブレーシング2の接続は、接続片8により非常に概略的に表された如く個別の点とされ、および／または、連続的とされ得る。
【００２０】
ガラス製の場合に第1および／または第2要素3、4、5は、強化され（焼き戻しされ）もしくは硬化されもしくは焼なましされた、透明もしくは不透明または着色されもしくは無色の、モノリシックなガラス（monolithic  glass）または積層ガラスから成り得る。
【００２１】
第1要素3と第2要素4との間の突合わせ接合は、以下に記述される如く行われる。
【００２２】
第1要素3の下側縁部9は湾曲された略キノコ形状のライン（mushroom-shaped  line）に追随する雌切欠10を有するが、この雌切欠は、要素3のシートの内側に中心が位置する所定半径の円の第1部分と、シート3の外側に中心が位置する所定半径の円の第2部分と、シート3の内側に中心が位置する所定半径の円の第3部分とを結合することで形成される。
【００２３】
切欠は、水噴流切断（water  jet  cutting）などの知られている任意の手段により、平行六面体形状のガラス内に形成され得る。
【００２４】
第2要素4の上側縁部11は、約1mm乃至2mmの間隙を有して雌切欠10内へと挿入され得るべく湾曲された略キノコ形状のラインに追随する雄切欠12を有する。
【００２５】
図２は、図１に示された第1および第2要素のジグソーパズル型アセンブリの斜視図である。切欠領域10の境界面に位置された逃げ領域は濃灰色により示される。
【００２６】
切欠10、12の各々はその縁部にて、構造材料14を受容し得る少なくとも一つの逃げ領域13を備えている。
【００２７】
逃げ領域13は、切欠10もしくは12の縁部に沿い延在する溝から成り、または、図示されない別実施例においては、逃げ領域13は、対向する陥没領域に係合し得ることから、これらの２つの領域間には構造材料14により充填され得るキャビティが画成される。
【００２８】
図２Ａに示された構築物の詳細において、本質的に雄切欠および／または雌切欠の直線状部分において切欠の各自由端部には、(図３に詳細に示された)繋止キー（locking  key）15を受容すべくデザインされた少なくとも一つのハウジングが配置される。
【００２９】
図２Ａに示された例においてハウジングは、部分的には、逃げ領域13に対して本質的に平行な第1部分15aとして、且つ、部分的には、逃げ領域13に対して本質的に直角な第2部分15bとして延在する。
【００３０】
この様にして、繋止部材もしくは繋止キー15が、このハウジング内に挿入されたとき、各要素の平面内における平行移動または回転移動であってアセンブリを分離する傾向である平行移動または回転移動は生じ得ない、と言うのも、第1および第2要素4および5は切欠10、12間に形成されたアセンブリにより相互に接続されるからである。
【００３１】
変形例として、且つ、移動を減じる改善をするために、(図２における不連続線において22とマークされた)ジグソーパズル型アセンブリの最も直線状の部分における任意部分に位置された少なくとも一つの箇所において、選択的には内部調節デバイスにより、先のシステムと同様の繋止キー・システムが介設される。
【００３２】
逃げ領域13を充填すべくデザインされた構造材料14は、第1および第2要素4、5間における材料ロッドを形成するが、用途に依存して連続もしくは不連続とされ得るこの材料ロッドは、樹脂またはエラストマーもしくは接着剤から成ると共に、材料ロッドは選択的に、好適にはUV放射線をフィルタリングしまたはUV放射線に対して不透明であるシリコーン包被体などに収容されまたはそれに対して挿入され得る。
【００３３】
各図に示されない変形例においては、構造材料14は、軸受レースの様式で、逃げ領域13の回旋のまわりを進行するボールチェーンもしくはローラチェーンにより形成される。
【００３４】
構造材料14の進行を容易にすべく、逃げ領域13は角張った箇所の無いラインの形態とされるのが好適である。
【００３５】
繋止キー15は、好適には透明であるプラスチックで作成されるが、この繋止キーは、逃げ領域13の端部に形成されたハウジング内に容易に隠されるべく半透明とされ得る。図３に示された繋止キー15は、直線状部分16、17の上方に載置された横断部分18により中央で相互に接合されて並置された２つの直線状部分16、17を有することから、図２Ａに詳細に示された如く構造材料14は並置された直線状部分16、17間を通過し得る。
【００３６】
図１において、第1要素または第2要素は、一つのみの雄／雌形状を有する。これらの要素の縁部の長さに依存して、このモティーフ（motif）をガラス要素の縁部に沿い、構造材料14を備えた少なくとも一つの逃げ領域13を各々が備えるべく数回にわたり再現する切欠ラインを作成することが可能である。
【００３７】
別の変形例においては、切欠に沿い、同様であるが更に小寸の他の一連の切欠であって所望であれば別の切欠などにより追随される一連の切欠を作成することが可能である。結果的なフラクタル型（fractal-type）の切欠ラインによれば、複数の繋止点を備えた更に長寸の接合ラインが与えられ、更に大寸の領域にわたり応力が分散される。
【００３８】
本発明に係るアセンブリは、ジグソーパズル型アセンブリ・システムと比較して顕著な改善を示すと共に、相互に接合された２つの要素と等しい寸法を有する単一のシートの性能を略達成する。
【００３９】
各ガラス基材を組立てるプロセス、特に繋止キーの設置を容易にすべく、空間の３軸に沿う平行移動および／または空間の３軸のまわりにおける回転の両方において把持を行う枢動クランプもしくは手段と補強材とのシステムが提案され、把持手段の各々は、例えば螺条付きロッドの形態のロッドに接続されることから、その軸心に沿う移動は調節され得る。それらの各自由端部に把持手段を備える螺条付きロッドは、選択的な回転枢動を行う接続ノード（connecting  node）において相互に保持される。
【００４０】
使用者は(図４に示された)アセンブリ・システム19を各ガラス基材上に位置決めすると共に、把持手段21において各基材の厚み部分を捕捉する。螺条付きロッド20a、20bおよび接続ノードを用いて、使用者は空間の種々の寸法における調節を行い(平坦性、間隔などを調節し)、次に繋止キーを用いて各基材を繋止する。
【００４１】
全ての基材が機械的に固定されたとき、使用者はアセンブリ・システム19を取り外す。
【００４２】
各要素、特にガラス製のブレーシング要素の縁部対縁部アセンブリの特定の場合において記述された本発明は、この実施例に限定されるものでない。本発明は、他のガラス要素、または、梁などの非ガラス要素、または、たとえば外側壁部の板ガラス(glazing)などのガラスの組立てに対してさえも等しく適用される。長寸のガラス要素の場合、本発明に係るアセンブリによれば、記述されて図示された軸心方向接続と、傾斜もしくは直交接続との両方が許容される。
【図面の簡単な説明】
【００４３】
【図１】補強材を形成する本発明に係る第1要素および第2要素のアセンブリを示す図である。
【図２】図１に示された２つの要素間におけるジグソーパズル型アセンブリの領域を示す斜視図である。
【図２Ａ】第1および第2要素の縁部に位置された繋止部材の結合状態を特に示す図２の詳細斜視図である。
【図３】図２Ａに示された繋止部材の斜視図である。
【図４】アセンブリ・システムを示す図である。
【図１】
2005534832.tif 000003
【図２】
2005534832.tif 000004
【図２Ａ】
2005534832.tif 000005
【図３】
2005534832.tif 000006
【図４】
2005534832.tif 000007
【国際調査報告】
2005534832.tif 000008
2005534832.tif 000009
2005534832.tif 000010
2005534832.tif 000011
2005534832.tif 000012
2005534832.tif 000013